(57)【特許請求の範囲】
【請求項１】
被写体像を撮像し第１領域と第２領域を有する画像情報を生成する撮像部と、
前記第２領域の移動と連動させて前記第１領域を移動させる制御部と、
前記第２領域に対してジオラマフィルタを用いてぼかし処理を行い、ぼかし処理後の画像情報において、操作部からの信号に応じて、前記第２領域を除いた前記第１領域のうちの少なくとも一部を、拡大する画像処理部と、
前記ぼかし処理後の画像情報に基づいて、ぼかし処理後のぼかし画像、及びマニュアルフォーカスアシスト枠として前記少なくとも一部を拡大した拡大画像を、表示する表示部と、
を備える撮像装置。
【請求項２】
前記表示部は、前記拡大画像の少なくとも一部が前記第２領域に含まれるように、前記拡大画像を表示する、
請求項１に記載の撮像装置。
【請求項３】
前記第２領域は、複数の領域から構成されており、
前記表示部は、前記拡大画像の少なくとも一部が、前記複数の領域において面積が最も大きい領域に含まれるように、前記拡大画像を表示する、請求項２に記載の撮像装置。
【請求項４】
前記拡大画像の表示位置を変更する命令が前記制御部から発行された場合に、前記表示部は、前記拡大画像を移動し表示する、請求項１から３のいずれかに記載の撮像装置。
【請求項５】
前記命令は、操作部からの操作信号、及び前記表示部に対する接触による操作信号に基づいて、前記制御部から発行される、請求項４に記載の撮像装置。
【請求項６】
被写体像のフォーカス状態を変更可能な光学系と、
前記光学系で形成された被写体像を撮像し第１領域と第２領域を有する画像情報を生成する撮像部と、
前記第２領域の移動と連動させて前記第１領域を移動させる制御部と、
前記第２領域に対してジオラマフィルタを用いてぼかし処理を行い、ぼかし処理後の画像情報において、操作部からの操作信号に応じて、前記光学系のフォーカス状態が変更された場合に、前記第２領域を除いた前記第１領域のうちの少なくとも一部を、拡大する画像処理部と、
前記ぼかし処理後の画像情報に基づいて、ぼかし処理後の画像、及びマニュアルフォーカスアシスト枠として前記少なくとも一部を拡大した画像を、表示する表示部と、
を備える撮像装置。
【発明の詳細な説明】
【技術分野】
【０００１】
本発明は、被写体を撮像して画像情報を生成する撮像装置、特に、撮像した画像情報に対して適用するフィルタ処理の設定を設定可能な撮像装置に関する。
【背景技術】
【０００２】
従来の撮像装置には、撮像した画像の一部にぼかし効果のあるフィルタ（ジオラマフィルタ等と呼ばれる）を施すことによって、あたかもジオラマ（ミニチュア）を撮影したかのような視角効果を、ユーザに与えることができるものがある（例えば、特許文献１を参照）。
ジオラマフィルタは、距離差が小さい被写体を撮影する場合等に、画面の上下または画面の左右など、画面の一部にぼかし処理を施すフィルタである。ジオラマフィルタを施すことで、ジオラマを撮影したような視角効果（現物より小さい被写体を撮影したかのような視覚効果）を、表現することができる。このような視覚効果を、ジオラマフィルタ効果（あるいはミニチュア効果）と呼ぶ。
【０００３】
また、マニュアルフォーカス（Ｍａｎｕａｌ  Ｆｏｃｕｓ、以下ＭＦと記載する）アシスト機能を備えた撮像装置が、知られている（例えば、特許文献２を参照）。ＭＦアシストとは、撮像した画像の特定のエリアを通常よりも拡大して表示することにより、ＭＦモードにおける被写体に対するフォーカス状態の確認を、より容易にするものである。
【先行技術文献】
【特許文献】
【０００４】
【特許文献１】特開２０１１−０１０２４３号公報
【特許文献２】特開平１１−０５５５６０号公報
【発明の概要】
【発明が解決しようとする課題】
【０００５】
従来のＭＦアシスト機能を備えた撮像装置においては、使用者がフォーカス操作を行った際には、あるエリアが自動的に拡大表示される。しかしながら、このエリアの位置は固定されているので、使用者がフォーカス状態を確認したい被写体が、このエリアの内部に含まれないという問題が、生じていた。このため、従来の撮像装置では、使用者は、撮像装置の操作部を操作することにより、エリアを所望の位置に移動させる必要があった。
【０００６】
本発明はこのような課題に鑑み、ＭＦアシストの利便性を向上可能な撮像装置を、提供することを目的とする。
【課題を解決するための手段】
【０００７】
上記課題を解決するために本発明の撮像装置は、撮像部と、画像処理部と、表示部と、制御部とを、備えている。撮像部は、被写体像を撮像し画像情報を生成する。画像処理部は、撮像した画像情報において、指定の領域に対してぼかし処理を行う。また、画像処理部は、ぼかし処理後の画像情報において、操作部からの操作信号に応じて、指定の領域を除いた領域のうちの少なくとも一部を、拡大する。表示部は、ぼかし処理後の画像情報に基づいて、ぼかし処理後のぼかし画像、及び少なくとも一部を拡大した拡大画像を、表示する。制御部は、撮像部、画像処理部、及び表示部の少なくともいずれか１つを、制御する。
【発明の効果】
【０００８】
本発明によれば、ＭＦアシストの利便性を向上可能な撮像装置を、提供することができる。
【図面の簡単な説明】
【０００９】
【図１】実施の形態１に係るデジタルカメラ１００の前面構成図
【図２】実施の形態１に係るデジタルカメラ１００の背面構成図
【図３】実施の形態１に係るデジタルカメラ１００の電気的構成図
【図４】実施の形態１に係る撮影モードにおける処理の流れを示すフローチャート
【図５】実施の形態１に係るフィルタ効果設定処理の流れを示すフローチャート
【図６】実施の形態１に係る画面表示の一例を示す図
【図７】実施の形態１に係る動画撮影開始・終了処理の流れを示すフローチャート
【図８】実施の形態１に係る静止画撮影処理の流れを示すフローチャート
【図９】他の実施の形態に係る画面表示の一例を示す図
【発明を実施するための形態】
【００１０】
〔実施の形態１〕
実施の形態１のデジタルカメラ１００は、ジオラマフィルタによりジオラマフィルタ効果を施した撮影が可能である。また、デジタルカメラ１００は、撮影に先立ってフィルタによってぼかす効果をかける範囲を示す効果枠（後述）の位置を移動させ、座標を設定する機能を持つ。また、デジタルカメラ１００は、ユーザによるマニュアルフォーカス（ＭＦ）操作時に、特定のエリアを拡大するＭＦアシストの機能を持ち、ＭＦアシストにおいて、ジオラマフィルタの効果枠の位置に応じて拡大表示する領域の位置を移動させる機能を持つ。デジタルカメラ１００は、これらの機能、設定に基づいた撮影制御を行う。以下、デジタルカメラ１００の構成および動作を説明する。
【００１１】
〔１．構成〕
以下、図を用いてデジタルカメラ１００の構成を説明する。
〔１−１．デジタルカメラ１００の構成〕
図１は、デジタルカメラ１００の前面構成図である。デジタルカメラ１００は前面に光学系１１０を納める鏡筒を備える。また、デジタルカメラ１００は上面に静止画レリーズ釦２０１やズームレバー２０２、電源釦２０３などの操作釦を備える。
【００１２】
図２は、デジタルカメラ１００の背面構成図である。デジタルカメラ１００は背面に液晶モニタ１２３や、中央釦２０４や十字釦２０５や動画レリーズ釦２０６やモード切替スイッチ２０７や設定釦２０８などの操作釦を備える。
図３は、デジタルカメラ１００の電気的構成図である。デジタルカメラ１００は、光学系１１０を介して形成された被写体像を、ＣＣＤイメージセンサ１２０によって、撮像する。ＣＣＤイメージセンサ１２０は撮像した被写体像に基づく画像情報を生成する。撮像により生成された画像情報は、ＡＦＥ（アナログ・フロント・エンド）１２１や画像処理部１２２において各種処理が施される。生成された画像情報はフラッシュメモリ１４２やメモリカード１４０に記録される。フラッシュメモリ１４２やメモリカード１４０に記録された画像情報は、使用者による操作部１５０の操作を受け付けて液晶モニタ１２３上に表示される。以下で、図１から図３に示す各構成の詳細を説明する。
【００１３】
光学系１１０は、フォーカスレンズ１１１やズームレンズ１１２、絞り１１３、シャッター１１４等により構成される。図示していないが、光学系１１０は、光学式手ぶれ補正レンズＯＩＳ（Ｏｐｔｉｃａｌ  Ｉｍａｇｅ  Ｓｔａｂｉｌｉｚｅｒ）を含んでいてもよい。なお、光学系１１０を構成する各種レンズは何枚から構成されるものでも、何群から構成されるものでもよい。
【００１４】
フォーカスレンズ１１１は被写体のフォーカス状態の調節に用いられる。ズームレンズ１１２は被写体の画角の調節に用いられる。絞り１１３は、ＣＣＤイメージセンサ１２０に入射する光量の調節に、用いられる。シャッター１１４は、ＣＣＤイメージセンサ１２０に入射する光の露出時間を調節する。フォーカスレンズ１１１、ズームレンズ１１２、絞り１１３、シャッター１１４は、それぞれに対応したＤＣモータやステッピングモータ等の駆動手段により、コントローラ１３０から通知された制御信号に従って駆動される。
【００１５】
ＣＣＤイメージセンサ１２０は、光学系１１０を通して形成された被写体像を撮像して画像情報を生成する。ＣＣＤイメージセンサ１２０は、デジタルカメラ１００が撮影モードにあるとき、一定時間ごとに新しいフレームの画像情報を生成することができる。
ＡＦＥ１２１では、ＣＣＤイメージセンサ１２０から読み出された画像情報に対して相関二重サンプリングによる雑音抑圧、アナログゲインコントローラによるＡ／Ｄコンバータの入力レンジ幅への増幅、Ａ／ＤコンバータによるＡ／Ｄ変換が施される。その後、ＡＦＥ１２１は画像情報を画像処理部１２２に出力する。
【００１６】
画像処理部１２２は、ＡＦＥ１２１から出力された画像情報に対して各種の処理を施す。各種処理としては、スミア補正、ホワイトバランス補正、ガンマ補正、ＹＣ変換処理、電子ズーム処理、抽出処理、圧縮処理、伸張処理等が挙げられるが、これらに限定されるものではない。ここで抽出処理とは、ＣＣＤイメージセンサから読み出された画像情報の全体または一部を切り出す（抽出する）処理を指す。このとき、切り出す範囲は、記録する画像情報（動画または静止画）の横縦比に応じて決定される。記録する画像情報の横縦比に関する情報は、後述するようにフラッシュメモリ１４２に記録されている。画像処理部１２２は、各種処理を施した画像情報をバッファメモリ１２４に記憶する。画像処理部１２２は、ハードワイヤードな電子回路で構成してもよいし、プログラムを用いたマイクロコンピュータなどで構成してもよい。またコントローラ１３０などと共に１つの半導体チップで構成してもよい。
【００１７】
液晶モニタ１２３は、デジタルカメラ１００の背面に備わる。液晶モニタ１２３は、画像処理部１２２にて処理された画像情報に基づく画像を表示する。液晶モニタ１２３が表示する画像には、スルー画像や記録画像がある。スルー画像は、ＣＣＤイメージセンサ１２０により一定時間ごとに生成される新しいフレームの画像を連続して表示する画像である。通常は、デジタルカメラ１００が撮影モードにあるときに、画像処理部１２２がＣＣＤイメージセンサ１２０の生成した画像情報からスルー画像を生成する。使用者は、液晶モニタ１２３に表示されるスルー画像を参照することにより、被写体の構図を確認しながら撮影できる。記録画像は、デジタルカメラ１００が再生モードにあるときに、メモリカード１４０等に記録された高画素の画像を液晶モニタ１２３に表示するために低画素に縮小した画像である。メモリカード１４０に記録される高画素の画像情報は、使用者によるレリーズ釦の操作を受け付けた後に、ＣＣＤイメージセンサ１２０が生成した画像情報に基づいて画像処理部１２２により生成される。
【００１８】
コントローラ１３０は、デジタルカメラ１００全体の動作を統括制御する。また、コントローラ１３０は、画像処理部１２２で処理された後バッファメモリ１２４に記憶された画像情報を、メモリカード１４０等の記録媒体へ記録する。コントローラ１３０は、プログラム等の情報を格納するＲＯＭや、プログラムを実行することにより各種情報を処理するＣＰＵなどにより構成される。ＲＯＭは、ファイル制御、オートフォーカス制御（ＡＦ制御）や自動露出制御（ＡＥ制御）の他、デジタルカメラ１００全体の動作を統括制御するためのプログラムを格納している。
【００１９】
コントローラ１３０は、ハードワイヤードな電子回路で構成してもよいし、マイクロコンピュータなどで構成してもよい。また、画像処理部１２２などと共に１つの半導体チップで構成してもよい。また、ＲＯＭはコントローラ１３０の内部構成である必要はなく、コントローラ１３０の外部に備わったものでもよい。
バッファメモリ１２４は、画像処理部１２２やコントローラ１３０のワークメモリとして機能する記憶手段である。バッファメモリ１２４はＤＲＡＭ（Ｄｙｎａｍｉｃ  Ｒａｎｄｏｍ  Ａｃｃｅｓｓ  Ｍｅｍｏｒｙ）などで実現できる。また、フラッシュメモリ１４２は、画像情報および設定情報等を記録するための内部メモリとして機能する。例えば、ジオラマフィルタを使った撮影での設定情報としては、ジオラマフィルタをかける際の効果枠の位置の座標値（フィルタ枠位置Ｐ）などが挙げられる。また、ＭＦアシストを使った撮影での設定情報としては、ＭＦアシストをする枠の位置の座標値（ＭＦアシスト枠位置Ｌ）などが挙げられる。この他、画像情報に対してジオラマフィルタ効果をかけるかどうかを示すジオラマオンオフフラグや、ＭＦアシストを使用するかどうかを示すＭＦアシストオンオフフラグ等がフラッシュメモリ１４２に記録される。
【００２０】
カードスロット１４１は、メモリカード１４０を着脱可能な接続手段である。カードスロット１４１は、メモリカード１４０を電気的及び機械的に接続可能である。また、カードスロット１４１は、メモリカード１４０を制御する機能を備えてもよい。
メモリカード１４０は、内部にフラッシュメモリ等の記録部を備えた外部メモリである。メモリカード１４０は、画像処理部１２２で処理される画像情報などのデータを記録可能である。
【００２１】
操作部１５０は、デジタルカメラ１００の外装に備わっている操作釦や操作ダイヤルの総称であり、使用者による操作を受け付ける。例えば図１や図２に示した静止画レリーズ釦２０１や、動画レリーズ釦２０６、ズームレバー２０２、電源釦２０３、中央釦２０４、十字釦２０５、モード切替スイッチ２０７、設定釦２０８などがこれにあたる。操作部１５０は使用者による操作を受け付けると、コントローラ１３０に種々の動作指示信号を通知する。コントローラ１３０は、動作指示信号に応じて各部を制御する。
【００２２】
静止画レリーズ釦２０１は、半押し状態と全押し状態の二段階押下式釦である。静止画レリーズ釦２０１が使用者により半押しされると、コントローラ１３０は、ＡＦ（Ａｕｔｏ  Ｆｏｃｕｓ）制御や、ＡＥ（Ａｕｔｏ  Ｅｘｐｏｓｕｒｅ）制御を実行し撮影条件を決定する。続いて、静止画レリーズ釦２０１が、使用者により全押しされると、コントローラ１３０は、撮影処理を行う。コントローラ１３０は、全押しのタイミングに撮像された画像情報を静止画像としてメモリカード１４０等に記録する。以下、単に静止画レリーズ釦２０１を押下すると記載する場合は、全押しを示すものとする。
【００２３】
動画レリーズ釦２０６は、動画記録の開始／終了を指示するための押下式釦である。動画レリーズ釦２０６が使用者によって押下されると、コントローラ１３０は、ＣＣＤイメージセンサ１２０が生成した画像情報に基づいて画像処理部１２２により生成された画像情報を動画像として順次、メモリカード１４０等の記録媒体に記録する。再度、動画レリーズ釦２０６を押下すると、動画像の記録が終了する。
【００２４】
ズームレバー２０２は画角を広角端と望遠端との間で調節するための中央位置自己復帰式のレバーである。ズームレバー２０２は、使用者により操作されるとコントローラ１３０にズームレンズ１１２を駆動するための動作指示信号を通知する。すわなち、ズームレバー２０２が広角端側に操作されると、コントローラ１３０は、被写体を広角で捉えられるようにズームレンズ１１２を駆動する。同様に、ズームレバー２０２が望遠端側に操作されると、コントローラ１３０は、被写体を望遠で捉えられるようにズームレンズ１１２を駆動する。
【００２５】
電源釦２０３は、デジタルカメラ１００を構成する各部への電力供給をＯＮ／ＯＦＦするための押下式釦である。電源ＯＦＦ時に電源釦２０３が使用者により押下されると、コントローラ１３０はデジタルカメラ１００を構成する各部に電力を供給し、起動させる。また、電源ＯＮ時に電源釦２０３が使用者により押下されると、コントローラ１３０は各部への電力供給を停止する。
【００２６】
中央釦２０４は、押下式釦である。デジタルカメラ１００が撮影モードあるいは再生モードにあるときに、中央釦２０４が使用者により押下されると、コントローラ１３０は液晶モニタ１２３にメニュー画面を表示する。メニュー画面は、撮影／再生のための各種条件を設定するための画面であり、シャッター音のオン、オフ切替、ジオラマフィルタ効果のオン、オフ切替等の設定を行える。メニュー画面で設定された情報は、フラッシュメモリ１４２に記録される。各種条件の設定項目が選択されているときに押下されると、中央釦２０４は決定釦としても機能する。
【００２７】
十字釦２０５は、上下左右方向に設けられた押下式釦である。使用者は、十字釦２０５のいずれかの方向を押下することにより、液晶モニタ１２３に表示される各種条件項目を選択することができる。また、本実施の形態のデジタルカメラ１００においては、撮影モードにおいて十字釦２０５の左釦がＭＦモードの起動のための釦として割り当てられる。また、ＭＦモードにおいては上下釦がフォーカス位置の変更に割り当てられる。
【００２８】
モード切替スイッチ２０７は、上下方向に設けられた押下式釦である。使用者はモード切替スイッチ２０７のいずれかの方向を押下することにより、デジタルカメラ１００の状態を、撮影モード、再生モードに切り替えることができる。
設定釦２０８は、ジオラマフィルタ効果を得るためのジオラマフィルタの効果設定を行う際に押下する押下式釦である。ジオラマフィルタ効果をオンにした撮影モードの待機状態において、設定釦２０８が押下されると、コントローラ１３０は液晶モニタにジオラマフィルタのフィルタ効果設定のための画面を表示する。フィルタ効果設定の詳細については後述する。
【００２９】
なお、ＣＣＤイメージセンサ１２０は、撮像部の一例である。十字釦２０５は、操作部の一例である。コントローラ１３０は、制御部の一例である。コントローラ１３０は、フォーカス制御部の一例である。液晶モニタ１２３は、表示部の一例である。
〔２．動作〕
〔２−１．ジオラマフィルタとは〕
デジタルカメラ１００のジオラマフィルタとは、画面上下及び／又は画面左右などの画面の一部を、ぼかすフィルタである。画面の一部をぼかすことにより、あたかもジオラマ（ミニチュア）を撮影したかのような視覚的効果、すなわちジオラマフィルタ効果が、得られる。特に、複数の被写体間に距離差が小さい場合に、このジオラマフィルタ効果は、効果を発揮する。
【００３０】
ジオラマフィルタにおいては、１つの画面は、図６（ａ）に示す画面のようにぼかして表示するエリア６０１、６０３と、ぼかさずに表示するエリア６０２とに、区別される。本実施の形態におけるジオラマフィルタは、図６（ａ）に示すように、画面の上下の領域に対してぼかし処理を実行し、上下方向における中央の帯状の領域をぼかさない処理を実行するフィルタである。すなわち、このジオラマフィルタは、画面の上下方向においてぼかすか否かを変更するフィルタである。
【００３１】
ジオラマフィルタ効果の境界線は、境界線６２０及び境界線６２１を、有している。境界線６２０は、ぼかして表示するエリア６０１と、ぼかさずに表示するエリア６０２との境界を示す線である。境界線６２１は、ぼかして表示するエリア６０３と、ぼかさずに表示するエリア６０２との境界を示す線である。ここでは、ぼかさずに表示するエリア６０２の上下方向および左右方向の幅は、所定の幅に設定されている。このエリア６０２の左右方向と上下方向における中心位置には、フィルタ枠位置Ｐが設定されている。フィルタ枠位置Ｐを定義するための位置データは、例えば、フラッシュメモリ１４２に記録されている。使用者は、ぼかさずに表示するエリア６０２を、十字釦２０５の上下釦を押下することにより、移動することができる。この場合、エリア６０２の移動に応じて、エリア６０１，６０３も同時に変更される。
【００３２】
〔２−２．ＭＦアシストとは〕
ＭＦアシストは、マニュアルフォーカス時に特定のエリアを拡大表示することにより、使用者がフォーカス状態を確認しやすくすることを可能とする機能である。具体的には、本実施の形態のＭＦアシストでは、図６（ａ）の画面が示すような、被写体を囲んでいるエリア６０４が、図６（ｂ）の画面が示すように、ＭＦアシスト枠位置Ｌを中心として、所定の倍率例えば３倍で、拡大表示される。図６（ｂ）では、拡大画像を符号６０５で示している。また、被写体を囲んでいるエリア６０４は、ＭＦアシストを実行する際に拡大される領域を示す枠である。また、ＭＦアシスト枠位置Ｌとは、このエリア６０４の左右方向と上下方向における中心位置のことである。
【００３３】
なお、上記のフィルタ枠位置Ｐは、液晶モニタ１２３に設定された第１座標系において、定義されている。また、ＭＦアシスト枠位置Ｌは、ＣＣＤイメージセンサに設定された第２座標系において、定義されている。ここでは、第１座標系のＰの位置と、第２座標系のＬの位置とが一致するように、第１座標系と第２座標系とが互いに対応付けられている。
【００３４】
〔２−３．デジタルカメラ１００のジオラマフィルタ効果のオン、オフ〕
ここでは、デジタルカメラ１００におけるジオラマフィルタ効果のオンオフ切替について説明する。デジタルカメラ１００のモードが、モード切替スイッチ２０７の操作により、撮影モードに移行している場合に、中央釦２０４が使用者により押下されると、コントローラ１３０は、液晶モニタ１２３にメニュー画面を表示する。メニュー画面は、撮影／再生のための各種条件を設定するための画面である。使用者は、十字釦２０５を操作することによって、ジオラマフィルタ効果のオンオフ切替設定メニューを呼び出し、ジオラマフィルタ効果をオン又はオフに設定する。ジオラマフィルタ効果のオンオフ設定は、ジオラマオンオフフラグとして、フラッシュメモリ１４２に、記録される。コントローラ１３０は、現在の設定、すなわちジオラマフィルタ効果がオンであるか否かを、フラッシュメモリ１４２に記録されたジオラマオンオフフラグを参照し、判断する。ジオラマオンオフフラグがオンに設定された場合は、撮影モードにおいてジオラマフィルタ効果のかかった撮影が可能になる。ジオラマフィルタ効果がオンである場合の効果、設定動作、及び撮影動作については、以下で説明する。
【００３５】
〔２−４．デジタルカメラ１００のＭＦアシストモードのオン、オフ〕
ここでは、デジタルカメラ１００のＭＦアシストモードのオンオフ切替について、説明する。デジタルカメラ１００のモードが、モード切替スイッチ２０７の操作により、撮影モードに移行している場合に、中央釦２０４が使用者により押下されると、コントローラ１３０は、液晶モニタ１２３にメニュー画面を表示する。使用者は、十字釦２０５を操作することによって、ＭＦアシストモードのオンオフ切替設定メニューを呼び出し、ＭＦアシストモードをオン又はオフに設定する。ＭＦアシストモードのオンオフ設定は、ＭＦアシストオンオフフラグとして、フラッシュメモリ１４２に記録される。コントローラ１３０は、現在の設定、すなわちＭＦアシストモードがオンであるか否かを、フラッシュメモリ１４２に記録されたＭＦアシストオンオフフラグを参照し、判断する。ＭＦアシストモードがオンに設定された場合は、ＭＦアシストの実行が可能になる。
【００３６】
本実施の形態のデジタルカメラ１００は、通常はＡＦモードで動作している。ＭＦアシストモードがオンのときには、十字釦２０５の左釦を押下した際にＭＦモードとなり、ＭＦアシスト枠位置Ｌが示す位置を拡大表示する。また、このときには、十字釦２０５の上下釦にてフォーカス位置を前後に移動させることができる。具体的には、コントローラ１３０が上下釦に対する操作を検知し、その操作に応じて光学系１１０を制御してフォーカスレンズ１１１を光軸に沿って前後に移動させる。例えば、上釦が押されたらフォーカス位置をテレ側に移動させ、下釦が押されたらフォーカス位置をワイド側に移動させるようにする。
【００３７】
〔２−５．デジタルカメラ１００のジオラマフィルタ設定、ＭＦアシスト表示処理、撮影動作〕
まず、デジタルカメラ１００の撮影制御について説明する。図４は、デジタルカメラ１００の撮影モード時の撮影制御のフローチャートである。デジタルカメラ１００は、撮影モードにおいて動画および静止画の撮影を行うことができる。
【００３８】
使用者のモード切替スイッチ２０７の操作により、デジタルカメラ１００が撮影モードに移行した場合、コントローラ１３０は、デジタルカメラ１００全体の動作を撮影モードに切り替える。撮影モードにおいて、コントローラ１３０は、まず、静止画像／動画像記録に必要な初期化処理を、行う（Ｓ４０１）。
初期化完了後、コントローラ１３０は、使用者からの入力に対応する、設定処理及び表示処理を、繰り返す。これらの処理は、モード切替スイッチ２０７の状態の確認（Ｓ４０３）、ジオラマフィルタ効果のオンオフ確認（Ｓ４１２）、設定釦２０８の押下の監視（Ｓ４０４）、フィルタ効果設定処理（Ｓ４０６）、スルー画像の表示（Ｓ４０８）、ＭＦアシストモードと十字釦２０５の左釦の押下の監視（Ｓ４２１）、ＭＦアシスト表示処理（Ｓ４２２）、動画レリーズ釦２０６の押下の監視（Ｓ４０５）、および静止画レリーズ釦２０１の押下の監視（Ｓ４０９）を、含んでいる。
【００３９】
ここでは、Ｓ４０３において、モード切替スイッチ２０７の状態が、撮影モードである場合（Ｓ４０３でＹｅｓ）、コントローラ１３０は、上記の、Ｓ４１２、Ｓ４０４、Ｓ４０６、Ｓ４０８、Ｓ４２１、Ｓ４２２、Ｓ４０５、及びＳ４０９の少なくともいずれか１つの処理を、実行する。なお、Ｓ４０３において、モード切替スイッチ２０７の状態が、撮影モードでなかった場合（Ｓ４０３でＮｏ）、撮影モードの処理を終了する。なお、Ｓ４１２において、ジオラマフィルタ効果がオンでない場合、Ｓ４０８の処理が実行される。
【００４０】
コントローラ１３０は、Ｓ４０４において設定釦２０８の押下を監視し、設定釦２０８が押下された場合（Ｓ４０４でＹｅｓ）、フィルタ効果の設定処理を、行う（Ｓ４０６）。ここで、使用者により十字釦２０５の上下釦が操作されると、コントローラ１３０は、ジオラマフィルタを設定するためのフィルタ枠位置Ｐを、設定する。そして、コントローラ１３０は、フィルタ枠位置Ｐを示すデータを、フラッシュメモリ１４２に記録する。
【００４１】
また、コントローラ１３０は、ＭＦアシストに用いられるＭＦアシスト枠位置Ｌを、設定する。詳細には、ＭＦアシスト枠位置Ｌは、フィルタ枠位置Ｐの設定に連動して、設定される。その後、コントローラ１３０は、フィルタ効果の設定処理で設定された設定値に基づいて、ジオラマフィルタを施したスルー画像を表示する処理を、行う（Ｓ４０８）。フィルタ効果の設定処理の詳細については、図５のフローチャートを用いて説明する。
【００４２】
設定釦２０８が押下されていない場合（Ｓ４０４でＮｏ）、コントローラ１３０は、ジオラマフィルタ効果の設定処理を実行せず、現在の設定値を用いて、ジオラマフィルタを施したスルー画像を表示する処理を、行う（Ｓ４０８）。
Ｓ４２１において、コントローラ１３０が、ＭＦアシストモードがオンの状態で十字釦２０５の左釦の押下を検知すると、コントローラ１３０は、ＭＦアシスト枠位置Ｌに基づいて、ＭＦアシストに対応する表示処理（ＭＦアシスト表示処理）を、行う（Ｓ４２２）。ＭＦアシスト表示処理の詳細については、図６を用いて説明する。
【００４３】
また、Ｓ４０５において、コントローラ１３０が動画レリーズ釦２０６の押下を検知した場合（Ｓ４０５でＹｅｓ）、コントローラ１３０は動画撮影開始・終了処理を行う（Ｓ４０７）。また、Ｓ４０９において、コントローラ１３０が静止画レリーズ釦２０１の押下を検知した場合（Ｓ４０９でＹｅｓ）、静止画撮影処理を行う（Ｓ４１１）。ここで、「Ｓ４０９でＮｏ」の場合、Ｓ４０３の処理が実行される。動画撮影開始・終了処理の詳細については、図７のフローチャートを用いて説明する。静止画撮影処理の詳細については図８のフローチャートを用いて説明する。
【００４４】
なお、〔２−４．デジタルカメラ１００のＭＦアシストモードのオン、オフ〕において説明したＭＦアシストのオンオフの切り替えは、図４におけるＳ４０３からＳ４２２までの間において、実行可能である。
次に、デジタルカメラ１００のジオラマフィルタ効果の設定処理について説明する。図５は、ジオラマフィルタ効果の設定処理の流れを示すフローチャートである。図６は、画面表示の一例を示す図である。
【００４５】
コントローラ１３０は、初期設定値を設定し、ジオラマフィルタ効果の設定処理を開始する。初期設定値として、フィルタ効果を設定するためのフィルタ枠位置Ｐが、上下方向の中央に設定され、ＭＦアシストを設定するためのＭＦアシスト枠位置Ｌが、上下方向の中央且つ左右方向の中央に設定される。
初期設定値が設定されると、まず、コントローラ１３０は、画像処理部１２２を制御して液晶モニタ１２３にスルー画像を表示させる（Ｓ５０１）。次に、このスルー画像上に、フィルタ効果を設定するための枠を、重ねて表示する（Ｓ５０２）（図６（ａ））。この枠は、上下範囲を設定するための枠であり、境界６２０と境界６２１とを含んでいる。この枠により、フィルタ処理が実行されずクリアであるエリア６０２と、フィルタ処理が実行されぼかして表示されるエリア６０１、６０３とに、区別される。また、ＭＦアシスト枠位置Ｐの初期設定値は、中央である。そして、中央釦２０４が押下されず、設定が継続される場合（Ｓ５０３）、コントローラ１３０は、十字釦２０５の上下釦の押下を検出した場合（Ｓ５０３でＹｅｓ）、フィルタ枠位置Ｐの設定を開始する（Ｓ５０４）。上下釦の押下が検出されなかった場合（Ｓ５０４でＮｏ）、Ｓ５０１の処理が実行される。
【００４６】
例えば、十字釦２０５の上釦が押下された場合は、コントローラ１３０は、フィルタ枠位置Ｐを上方向に所定の値だけ移動させ、フラッシュメモリ１４２にフィルタ枠位置Ｐを記録する。また、コントローラ１３０は、フィルタ枠位置Ｐの移動に連動させて、ＭＦアシスト枠位置Ｌも上方向に同じ値だけ移動させ、フラッシュメモリ１４２にＭＦアシスト枠位置Ｌを記録する（Ｓ５０５）（図６（ｃ））。フィルタ枠位置Ｐ及びＭＦアシスト枠位置Ｌが移動した後も、枠の表示は、フィルタ処理が実行されていないエリア６０７と、フィルタ処理が実行されたエリア６０６、６０８とに区別される。この場合、ＭＦアシストの枠のエリア６０９は、フィルタ枠の位置に連動するため、必ず、ぼかし効果がかからないエリア６０７内の対象を、拡大することができる。すなわち、ＭＦアシストを開始した際に、ぼかして表示されるエリアが、拡大表示されてしまうことを、防止できる。また、ぼかし効果がかかっていない領域を拡大表示し、この表示を確認しながらＭＦ操作を行うことができる。
【００４７】
同様に、十字釦２０５の下釦が押下された場合は、コントローラ１３０は、フィルタ枠位置Ｐを下方向に所定の値だけ移動させ、フラッシュメモリ１４２にフィルタ枠位置Ｐを記録する。また、コントローラ１３０は、フィルタ枠位置Ｐの移動に連動させて、ＭＦアシスト枠位置Ｌも下方向に同じ値だけ移動させ、フラッシュメモリ１４２にＭＦアシスト枠位置Ｌを記録する（Ｓ５０５）（図６（ｅ））。フィルタ枠位置Ｐ及びＭＦアシスト枠位置Ｌが移動した後も、枠の表示は、フィルタ処理が実行されていないエリア６１２と、フィルタ処理が実行されたエリア６１１、６１３とに区別される。この場合も、ＭＦアシストの枠のエリア６１４の位置は、フィルタ枠の位置に連動して更新される。
【００４８】
フィルタ枠位置Ｐの移動処理及びＭＦアシスト枠位置Ｌの移動処理が終了した場合（Ｓ５０５）、Ｓ５０１が実行される。
次に、Ｓ４２２のＭＦアシスト表示処理の詳細について説明する。ＭＦアシスト表示処理では、コントローラ１３０は、使用者による十字釦２０５の左釦の押下を検知した場合に、デジタルカメラ１００のＭＦアシストモードの状態がオンか否かを、判定する（Ｓ４２１）。ここで、ＭＦアシストモードの状態がオンである場合（Ｓ４２１でＹｅｓ）、コントローラ１３０は、ＭＦアシストの表示処理を実行する。言い換えると、コントローラ１３０は、ＭＦアシストモードのオンと、十字釦２０５の左釦の押下とを検出すると、ＭＦアシストの表示処理を実行する。ＭＦアシストは、図４におけるＳ４０３からＳ４２２までの間において、任意にオンオフ可能である。
【００４９】
ジオラマフィルタ効果の設定処理（Ｓ４０６）が、一度も実行されていない場合、ＭＦアシストにおけるＭＦアシスト枠位置Ｌは、初期値すなわち中央に設定されている。コントローラ１３０は、ＭＦアシスト表示を行う際にフラッシュメモリ１４２からＭＦアシスト枠位置Ｌを取得し、ＭＦアシスト枠位置Ｌが示す中央のエリアを拡大表示（６０５）する（図６（ｂ））。具体的には、画像処理部１２２がバッファメモリ１２４から、画像情報のうちＭＦアシスト枠位置Ｌが示すエリア６０４を読み出す。そして、画像処理部１２２は、このエリア６０４の画像情報に対して拡大処理を行い、元の画像情報（図６（ｂ））に重畳して液晶モニタ１２３に表示する。
【００５０】
一方で、ジオラマフィルタ効果設定処理（Ｓ４０６）が、既に実行されており、例えば、フィルタ枠位置Ｐが上方向に移動している場合は、前述したように、ＭＦアシスト枠位置Ｌはこれに応じて上方向に更新されている。この場合も、コントローラ１３０は、ＭＦアシスト表示を行う際にフラッシュメモリ１４２からＭＦアシスト枠位置Ｌを取得し、ＭＦアシスト枠位置Ｌが示すエリアを拡大表示（６１０）する（図６（ｄ））。このとき、ＭＦアシスト枠位置Ｌが示すエリアは、ジオラマフィルタがかかっていないエリア（６０７）における左右方向の中央のエリアとなる。これにより、ぼかし効果のかかっていないエリア６０７を拡大表示でき、ＭＦ操作のアシストをすることができる。
【００５１】
また、ジオラマフィルタ効果設定処理（Ｓ４０６）が、既に実行されており、例えば、フィルタ枠位置Ｐが下方向に移動している場合は、前述したように、ＭＦアシスト枠位置Ｌは下方向に更新されている。この場合も、コントローラ１３０は、ＭＦアシスト表示を行う際にフラッシュメモリ１４２からＭＦアシスト枠位置Ｌを取得し、ＭＦアシスト枠位置Ｌが示すエリアを拡大表示（６１５）する（図６（ｆ））。このとき、ＭＦアシスト枠位置Ｌが示すエリアは、ジオラマフィルタがかかっていないエリア（６１２）の左右方向の中央のエリアとなる。これにより、ぼかし効果のかかっていないエリア６０７を拡大表示でき、ＭＦ操作のアシストをすることができる。
【００５２】
なお、使用者がフォーカス状態を変更するための操作を実行していない時間が、所定時間以上となった場合、ＭＦアシスト表示は終了する。
図７は、動画撮影開始・終了処理の流れを示すフローチャートである。動画撮影開始・終了処理では、コントローラ１３０は、使用者による動画レリーズ釦２０６の押下を検知すると、デジタルカメラ１００の記録動作の状態が動画記録中であるか否かを、判断する（Ｓ７０１）。デジタルカメラ１００の記録動作の状態が動画記録中でない場合（Ｓ７０１でＮｏ）、コントローラ１３０は、画像処理部１２２に対して動画記録開始指示を行う（Ｓ７０５）。動画記録開始指示を受けた画像処理部１２２は、フラッシュメモリ１４２からジオラマフィルタのフィルタ枠位置Ｐを取得する。そして、画像処理部１２２は、取得した座標位置の範囲に対して、ジオラマフィルタの画像処理を実行した動画の記録を、開始する。本実施の形態でのジオラマフィルタは、フィルタ枠位置Ｐが示す、ぼかし処理を実行する範囲に対して、ローパスフィルタを施し、ぼかし処理をかけない範囲に対してはローパスフィルタを施さないようなフィルタである。
【００５３】
続いて、ＣＣＤイメージセンサ１２０が生成した画像情報に基づいて、画像処理部１２２により生成された画像情報が、動画像として、順次、メモリカード１４０等の記録媒体に、記録される。この処理は、コントローラ１３０が画像処理部１２２に対して動画記録開始を指示した時から、コントローラ１３０が画像処理部１２２に対して動画記録停止を指示するまでの間において、実行される。
【００５４】
記録開始時には、画像処理部１２２は、フラッシュメモリ１４２から、ジオラマフィルタのフィルタ枠位置Ｐを、取得する。そして、画像処理部１２２は、ＣＣＤイメージセンサ１２０が生成した画像情報に対し、取得した座標位置の範囲にジオラマフィルタの画像処理を実施して、処理後の画像情報を、メモリカード１４０等の記録媒体に記録する。なお、デジタルカメラ１００の記録動作の状態が動画記録中である場合（Ｓ７０１でＹｅｓ）、コントローラ１３０は、画像処理部１２２に対して動画記録停止指示を行う（Ｓ７０９）。
【００５５】
図８は、静止画撮影処理の流れを示すフローチャートである。コントローラ１３０は、使用者による静止画レリーズ釦２０１の押下を検知すると、静止画レリーズ釦２０１が押下されたタイミングにおいて、ＣＣＤイメージセンサ１２０が生成した画像情報に基づいて画像処理部１２２により生成される静止画を、メモリカード１４０等の記録媒体に記録する（Ｓ８０３）。画像処理部１２２は、静止画の記録にあたり、フラッシュメモリ１４２からジオラマフィルタのフィルタ枠位置Ｐを取得し、取得した座標位置の範囲にジオラマフィルタの画像処理を実施して、メモリカード１４０等の記録媒体に記録する。
【００５６】
以上のように、ジオラマフィルタ枠の移動処理を行った際に、ＭＦアシスト枠の移動処理を連動して更新することにより、ぼかし効果のかからないエリアをＭＦアシスト表示として拡大表示することができる。また、使用者は、この拡大表示を視認しながら、簡単にフォーカスを合わせることが可能となる。
〔２−６．まとめ〕
本実施の形態のデジタルカメラ１００は、ＣＣＤイメージセンサ１２０と、画像処理部１２２と、液晶モニタ１２３と、制御部とを、備えている。ＣＣＤイメージセンサ１２０は、被写体像を撮像し画像情報を生成する。画像処理部１２２は、撮像した画像情報において、指定の領域に対してジオラマフィルタ処理を行う。また、画像処理部１２２は、ジオラマフィルタ処理後の画像情報において、操作部からの操作信号に応じて、指定の領域を除いた領域のうちの少なくとも一部を、拡大する。液晶モニタ１２３は、ジオラマフィルタ処理後の画像情報に基づいて、ジオラマフィルタ処理後のぼかし画像、及び少なくとも一部を拡大した拡大画像を、表示する。制御部は、ＣＣＤイメージセンサ１２０、画像処理部１２２、及び液晶モニタ１２３の少なくともいずれか１つを、制御する。
【００５７】
この構成により、操作部１５０が操作されるのに応じて、ジオラマフィルタでぼかさない領域の少なくとも一部（ＭＦアシスト枠）を、拡大表示することができる。また、拡大されたＭＦアシスト枠の内部における被写体のフォーカス状態を、容易に確認できので、この被写体に対してフォーカスを容易に合わせることができる。
また、本実施の形態のデジタルカメラ１００では、ジオラマフィルタを用いることを前提としているので、ＭＦアシスト枠を、ジオラマフィルタでぼかさない領域に配置することによって、フォーカス状態を確認したい被写体を、ＭＦアシスト枠の内部に容易に位置させることができる。
【００５８】
〔３．他の実施の形態〕
本発明は、上記実施の形態に限定されず、種々の実施形態が考えられる。以下、本発明の他の実施の形態について記載する。
（Ａ）本実施の形態のデジタルカメラ１００では、ジオラマフィルタにおいて、ぼかす範囲（ぼかさない範囲）の位置を使用者により設定可能であり、ぼかさない範囲の幅を使用者により設定不能である場合の例を、示した。しかしながら、本発明は、これに限らず、フィルタをかける幅（ぼかさない範囲の幅）を、使用者が指定できるようにしてもよい。例えば、フィルタ効果設定処理において、使用者による十字釦２０５やタッチパネル（図示せず）や回転ダイヤル（図示せず）等の操作に応じて、フィルタをかける幅を、設定可能としてもよい。
【００５９】
（Ｂ）本実施の形態のデジタルカメラ１００では、ジオラマフィルタをかける方向を上下方向とした。すなわち、本実施の形態では、画面の上下の領域をぼかし、上下方向における中央の帯状の領域をぼかさないようにする（画面の上下方向においてぼかすか否かが変化する）ジオラマフィルタを用いる場合の例を、示した。しかしながら、本発明は、これに限らず、ジオラマフィルタをかける方向として、使用者が左右方向を指定できるようにしてもよい。また、この場合、フィルタをかける位置（ぼかさない範囲の位置）を使用者が指定できるようにしてもよい。例えば、フィルタ効果設定処理において、使用者による十字釦２０５やタッチパネル（図示せず）や回転ダイヤル（図示せず）の操作に応じて、ジオラマフィルタをかける方向を、設定可能としてもよい。
【００６０】
（Ｃ）本実施の形態のデジタルカメラ１００は、使用者が設定釦２０８を押下するのに応じて、ＭＦアシストの表示を開始する場合の例を、示した。しかしながら、本発明は、これに限らず、ジオラマフィルタの効果設定処理を完了した直後に、ＭＦアシスト表示を開始してもよい。
（Ｄ）本実施の形態のデジタルカメラ１００は、ジオラマフィルタ効果の設定処理の初期設定値として、フィルタ効果のフィルタ枠位置Ｐを上下方向の中央に設定し、ＭＦアシストのＭＦアシスト枠位置Ｌを上下方向及び左右方向の中央に設定する場合の例を、示した。しかしながら、過去の設定情報を記憶しておき、設定釦２０８が押下された場合に、その設定情報を読み出し、その状態から設定を開始してもよい。具体的には、設定釦２０８が押下されたときに、コントローラ１３０は、まずフラッシュメモリ１４２から設定情報、すなわちフィルタ枠位置ＰおよびＭＦアシスト枠位置Ｌを読み出す。そして、コントローラ１３０は、これらの設定情報に基づいて、フィルタの効果範囲を示す枠等を、スルー画像に重畳して、液晶モニタ１２３に表示する。
【００６１】
（Ｅ）本実施の形態のデジタルカメラ１００は、フィルタ効果設定処理において、特定の釦を押下する等、何らかの操作によって、設定情報（位置）が初期化されるようにしてもよい。
（Ｆ）本実施の形態のデジタルカメラ１００は、ＭＦアシストモードがオンのときに十字釦２０５の左釦を押下した際にＭＦモードとなり、さらに、ＭＦアシスト枠位置Ｌが示す位置を拡大表示するようにした。しかしながら、本発明はこれに限らない。例えば、左釦が押下された場合に、まず、ＭＦアシストをする際に拡大される領域であるエリア６０４を示すＭＦアシスト枠を、表示するようにしてもよい。そして、十字釦によりＭＦアシスト枠の位置を変更した後で、再び左釦が押下された場合に、ＭＦアシストを拡大表示してもよい。
【００６２】
（Ｇ）本実施の形態のデジタルカメラ１００では、拡大後のＭＦアシスト枠の画像６０５，６１０，６１５が、非ぼかしエリア６０２,６０７，６１２の中央に配置される場合の例を示したが、拡大後のＭＦアシスト枠の画像６０５，６１０，６１５を、他の位置に配置してもよい。具体的には、図９（ａ）に示すように、拡大後のＭＦアシスト枠の画像６０５の少なくとも一部が、ぼかしエリアに含まれるように、拡大後のＭＦアシスト枠を、液晶モニタ１２３に表示するようにしてもよい。また、図９（ｂ）及び図９（ｃ）に示すように、拡大後のＭＦアシスト枠の画像６１０，６１５の少なくとも一部が、複数のぼかしエリアにおいて面積が最も大きいエリアに含まれるように、拡大後のＭＦアシスト枠の画像６１０，６１５を、液晶モニタ１２３に表示するようにしてもよい。
【００６３】
この構成により、非ほかし領域６０２,６０７，６１２に表示された画像に対する視認性を、向上することができる。また、拡大後のＭＦアシスト枠の画像６０５，６１０，６１５の少なくとも一部を、相対的に広い方のぼかしエリアに配置した場合、上記の視認性を、より向上することができる。
（Ｈ）本実施の形態のデジタルカメラ１００において、拡大後のＭＦアシスト枠のみを、移動可能にしてもよい。例えば、ＭＦアシスト枠が拡大された状態において、操作部１５０が操作された場合に、コントローラ１３０は、画像処理部１２２を制御して、拡大後のＭＦアシスト枠を、操作部１５０からの操作信号に対応する位置に移動させ、液晶モニタ１２３に表示させる。これにより、図６に示したＭＦアシスト枠を、図９に示すような位置に、移動することができる。また、液晶モニタ１２３がタッチパネルである場合も同様に、指示手段（ex. 指及び／又はタッチペン等）によって、拡大後のＭＦアシスト枠を選択し移動するようにしてもよい。
【００６４】
この構成により、使用者は、拡大後のＭＦアシスト枠を自由に移動することができるので、ＭＦアシスト枠の拡大によって背後に隠れた画像を、容易に視認することができる。
（Ｉ）本実施の形態のデジタルカメラ１００では、左釦が押下された場合に、ＭＦアシスト枠位置Ｌによって定義されるＭＦアシスト枠が、拡大された。これに加えて、フォーカスレンズ１１１を操作するためのフォーカスリング（図示しない）が、操作された場合にも、ＭＦアシスト枠が同様に拡大されるようにしてもよい。この場合、コントローラ１３０がフォーカスレンズの回転を検知した場合に、前記実施形態と同様にＭＦアシスト枠が拡大される。
【００６５】
この構成により、使用者によるフォーカス操作に応じて、フォーカス状態を変更すると共に、ジオラマフィルタによって、ＭＦアシスト枠（ぼかさない領域の少なくとも一部）を、拡大表示することができる。また、使用者は、拡大表示されたＭＦアシスト枠を視認することにより、被写体のフォーカス状態を容易に確認でき、被写体へフォーカスを合わせる操作が容易となる。
【産業上の利用可能性】
【００６６】
本発明は、ＭＦアシストの利便性を向上可能な撮像装置を、提供することができるため、マニュアルフォーカス操作が可能なデジタルスチルカメラ、ムービー、携帯電話等にも適用できる。
【符号の説明】
【００６７】
１００  デジタルカメラ
１１１  フォーカスレンズ
１１２  ズームレンズ
１１３  絞り
１１４  シャッター
１２０  ＣＣＤイメージセンサ
１２１  ＡＦＥ（アナログ・フロント・エンド）
１２２  画像処理部
１２３  液晶モニタ
１２４  バッファメモリ
１３０  コントローラ
１４０  メモリカード
１４１  カードスロット
１４２  フラッシュメモリ
１５０  操作部
２０１  静止画レリーズ釦
２０２  ズームレバー
２０３  電源釦
２０４  中央釦
２０５  十字釦
２０６  動画レリーズ釦
２０７  モード切替スイッチ
２０８  設定釦
【図１】
0005903658.tif 000002
【図２】
0005903658.tif 000003
【図３】
0005903658.tif 000004
【図４】
0005903658.tif 000005
【図５】
0005903658.tif 000006
【図６】
0005903658.tif 000007
【図７】
0005903658.tif 000008
【図８】
0005903658.tif 000009
【図９】
0005903658.tif 000010